(57)【要約】【課題】注目領域外部の視認性を低下させずに注目領域に表示されたコンテンツの内容を変化させることができる表示装置、方法及びプログラムを提供する。【解決手段】実施形態の表示装置は、取得部と、領域設定部と、変化部と、表示制御部と、を備える。取得部は、コンテンツを表示する表示部に対する入力部の指示位置及び当該指示位置にかかる圧力を順次取得する。領域設定部は、順次取得される指示位置及び圧力に基づいて、表示部に注目領域を設定する。変化部は、圧力に基づいて、コンテンツのうち注目領域に表示された内容を、注目領域を固定させた状態で変化させる。表示制御部は、変化後の内容を注目領域に表示する。【選択図】図１
2015156135.tif 000002
【特許請求の範囲】
【請求項１】
コンテンツを表示する表示部に対する入力部の指示位置及び当該指示位置にかかる圧力を順次取得する取得部と、
順次取得される前記指示位置及び前記圧力に基づいて、前記表示部に注目領域を設定する領域設定部と、
前記圧力に基づいて、前記コンテンツのうち前記注目領域に表示された内容を、前記注目領域を固定させた状態で変化させる変化部と、
変化後の前記内容を前記注目領域に表示する表示制御部と、
を備える表示装置。
【請求項２】
順次取得される前記指示位置及び前記圧力を順次解析する解析部を更に備え、
前記領域設定部は、解析結果に基づいて、前記注目領域を設定し、
前記変化部は、前記解析結果に基づいて、前記コンテンツのうち前記注目領域に表示された内容を、前記注目領域を固定させた状態で変化させる請求項１に記載の表示装置。
【請求項３】
前記注目領域設定後の解析結果に基づいて、前記注目領域を変化状態に設定する状態設定部を更に備え、
前記変化部は、前記変化状態設定後の解析結果に基づいて、前記コンテンツのうち前記注目領域に表示された内容を、前記注目領域を固定させた状態で変化させる請求項２に記載の表示装置。
【請求項４】
前記解析部は、順次取得される前記指示位置及び前記圧力を順次解析し、前記指示位置における前記圧力の値又は変化を解析する請求項２又は３に記載の表示装置。
【請求項５】
前記取得部は、前記表示部と前記入力部との角度である傾き角、及び前記入力部を前記表示部に射影した直線と所定直線との角度である方位角の少なくともいずれかを更に順次取得し、
前記解析部は、順次取得される前記傾き角及び前記方位角の少なくともいずれかを更に順次解析する請求項２又は３に記載の表示装置。
【請求項６】
前記解析部は、順次取得される前記傾き角及び前記方位角の少なくともいずれかを更に順次解析し、前記入力部のジェスチャを解析する請求項５に記載の表示装置。
【請求項７】
前記ジェスチャは、前記入力部の移動及び静止である請求項６に記載の表示装置。
【請求項８】
前記領域設定部は、前記指示位置における前記圧力の値に基づいて、前記表示部に前記注目領域を設定する請求項４に記載の表示装置。
【請求項９】
前記領域設定部は、前記入力部の移動及び静止に基づいて、前記表示部に前記注目領域を設定する請求項７に記載の表示装置。
【請求項１０】
前記状態設定部は、前記注目領域設定後の前記指示位置における前記圧力の変化に基づいて、前記注目領域を変化状態に設定する請求項４に記載の表示装置。
【請求項１１】
前記状態設定部は、前記入力部の移動及び静止に基づいて、前記注目領域を変化状態に設定する請求項７に記載の表示装置。
【請求項１２】
前記変化部は、前記変化状態設定後の前記指示位置における前記圧力の変化に基づいて、前記コンテンツのうち前記注目領域に表示された内容を、前記注目領域を固定させた状態で変化させる請求項４に記載の表示装置。
【請求項１３】
前記注目領域が前記変化状態に設定されたことを報知部に報知させる報知制御部を更に備える請求項３に記載の表示装置。
【請求項１４】
前記変化状態は、ズーム状態であり、
前記変化部は、前記変化状態設定後の解析結果に基づいて、前記コンテンツのうち前記注目領域に表示された内容を、前記注目領域を固定させた状態でズームさせる請求項３に記載の表示装置。
【請求項１５】
前記変化部は、前記変化状態設定後の解析結果に基づいて、前記コンテンツのうち前記注目領域に表示された内容を、前記注目領域を固定させた状態でズームアウトさせた場合、前記注目領域外の外部領域に表示された内容もズームアウトさせる請求項１４に記載の表示装置。
【請求項１６】
前記変化状態は、時間軸を変化させる状態であり、
前記変化部は、前記変化状態設定後の解析結果に基づいて、前記コンテンツのうち前記注目領域に表示された内容を、前記注目領域を固定させた状態で、時間軸で変化させる請求項３に記載の表示装置。
【請求項１７】
前記取得部は、前記注目領域に対して前記入力部から入力されたストロークを更に取得し、
前記表示制御部は、前記ストロークを前記注目領域に更に表示する請求項１に記載の表示装置。
【請求項１８】
前記解析部は、取得された前記ストロークが前記注目領域に更に表示するストロークであるか否かを解析する請求項１７に記載の表示装置。
【請求項１９】
コンテンツを表示する表示部に対する入力部の指示位置及び当該指示位置にかかる圧力を順次取得する取得ステップと、
順次取得される前記指示位置及び前記圧力に基づいて、前記表示部に注目領域を設定する領域設定ステップと、
前記圧力に基づいて、前記コンテンツのうち前記注目領域に表示された内容を、前記注目領域を固定させた状態で変化させる変化ステップと、
変化後の前記内容を前記注目領域に表示する表示制御ステップと、
を含む表示方法。
【請求項２０】
コンテンツを表示する表示部に対する入力部の指示位置及び当該指示位置にかかる圧力を順次取得する取得ステップと、
順次取得される前記指示位置及び前記圧力に基づいて、前記表示部に注目領域を設定する領域設定ステップと、
前記圧力に基づいて、前記コンテンツのうち前記注目領域に表示された内容を、前記注目領域を固定させた状態で変化させる変化ステップと、
変化後の前記内容を前記注目領域に表示する表示制御ステップと、
をコンピュータに実行させるためのプログラム。
【発明の詳細な説明】
【技術分野】
【０００１】
本発明の実施形態は、表示装置、方法及びプログラムに関する。
【背景技術】
【０００２】
ペン入力インタフェースを備えた表示装置において、ペン操作を利用して、注目領域に表示されたコンテンツの内容を、ズーム（ズームイン、ズームアウト）などで変化させる技術が知られている。
【先行技術文献】
【特許文献】
【０００３】
【特許文献１】特表２００９−５４５８０５号公報
【発明の概要】
【発明が解決しようとする課題】
【０００４】
しかしながら、上述したような従来技術では、注目領域に表示されたコンテンツの内容を変化させると、注目領域の大きさも変化してしまうため、注目領域外部の視認性が低下してしまう。
【０００５】
本発明が解決しようとする課題は、注目領域外部の視認性を低下させずに注目領域に表示されたコンテンツの内容を変化させることができる表示装置、方法及びプログラムを提供することを目的とする。
【課題を解決するための手段】
【０００６】
実施形態の表示装置は、取得部と、領域設定部と、変化部と、表示制御部と、を備える。取得部は、コンテンツを表示する表示部に対する入力部の指示位置及び当該指示位置にかかる圧力を順次取得する。領域設定部は、順次取得される前記指示位置及び前記圧力に基づいて、前記表示部に注目領域を設定する。変化部は、前記圧力に基づいて、前記コンテンツのうち前記注目領域に表示された内容を、前記注目領域を固定させた状態で変化させる。表示制御部は、変化後の前記内容を前記注目領域に表示する。
【図面の簡単な説明】
【０００７】
【図１】第１実施形態の表示装置の例を示す構成図。
【図２】第１実施形態の傾き角及び方位角の例を示す図。
【図３】第１実施形態のジェスチャの解析手法の例の説明図。
【図４】第１実施形態のジェスチャの解析手法の例の説明図。
【図５】第１実施形態の注目領域設定手法の例の説明図。
【図６】第１実施形態の注目領域設定手法の例の説明図。
【図７】第１実施形態の閉ループの判定手法の例の説明図。
【図８】第１実施形態の閉ループの判定手法の例の説明図。
【図９】第１実施形態の閉ループの判定手法の例の説明図。
【図１０】第１実施形態の圧力のレベルの例の説明図。
【図１１】第１実施形態の注目領域の変化内容の例の説明図。
【図１２】第１実施形態の注目領域の変化内容の例の説明図。
【図１３】第１実施形態の注目領域の変化内容の例の説明図。
【図１４】第１実施形態の領域設定処理例を示すフローチャート。
【図１５】第１実施形態のズーム状態設定処理例を示すフローチャート。
【図１６】第１実施形態の変化処理例を示すフローチャート。
【図１７】第２実施形態の表示装置の構成例を示すブロック図。
【図１８】第２実施形態の注目領域の変化内容の例の説明図。
【図１９】第２実施形態の注目領域の変化内容の例の説明図。
【図２０】変形例の注目領域の変化内容の例の説明図。
【図２１】変形例の注目領域の変化内容の例の説明図。
【図２２】各実施形態及び変形例の表示装置のハードウェア構成例を示す図。
【図２３】各実施形態及び変形例の表示システム例を示す図。
【発明を実施するための形態】
【０００８】
以下、添付図面を参照しながら、実施形態を詳細に説明する。
【０００９】
（第１実施形態）
図１は、第１実施形態の表示装置１０の一例を示す構成図である。図１に示すように、表示装置１０は、入力部１１と、取得部１３と、解析部１５と、領域設定部１７と、状態設定部１９と、報知制御部２１と、報知部２３と、変化部２５と、記憶部２７と、表示制御部２９と、表示部３１とを、備える。
【００１０】
入力部１１は、例えば、電子ペン、タッチパネル、タッチパッド、及びマウスなどの手書き入力可能な入力装置により実現できる。取得部１３、解析部１５、領域設定部１７、状態設定部１９、報知制御部２１、変化部２５、及び表示制御部２９は、例えば、ＣＰＵ（Central  Processing  Unit）などの処理装置にプログラムを実行させること、即ち、ソフトウェアにより実現してもよいし、ＩＣ（Integrated  Circuit）などのハードウェアにより実現してもよいし、ソフトウェア及びハードウェアを併用して実現してもよい。報知部２３は、例えば、タッチパネルディスプレイ、スピーカ、ランプ及びバイブなどの報知装置により実現できる。なお、報知部２３をタッチパネルディスプレイで実現する場合、表示部３１が報知部２３の役割を担うようにしてもよい。記憶部２７は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、又は電気的に記憶可能な記憶装置により実現できる。表示部３１は、例えば、タッチパネルディスプレイなどの表示装置により実現できる。
【００１１】
入力部１１は、コンテンツを表示する表示部３１に対する入力部１１の指示位置及び当該指示位置にかかる圧力を表示装置１０に順次入力する。また入力部１１は、表示部３１と入力部１１との角度である傾き角、及び入力部１１を表示部３１に射影した直線と所定直線との角度である方位角の少なくともいずれかを更に順次入力してもよい。
【００１２】
図２は、第１実施形態の傾き角及び方位角の一例を示す図である。図２に示すように、傾き角θは、表示部３１と入力部１１とがなす角度である。方位角φは、入力部１１の指示位置４１を中心とした仮想的な円４２において、表示部３１の１辺方向を基準線４３とした場合の基準線４３と入力部１１を表示部３１に射影した射影線４４とがなす角度である。
【００１３】
傾き角及び方位角は、例えば、電磁誘導方式の場合、表示部３１（タッチパネル）に張り巡らせたアンテナコイルに流した交流に対して、入力部１１（電子ペン）に内蔵された複数のコイルが反応して共振することで発生した電力の位置を、アンテナコイル側で検知することで複数の位置をスキャンすることで検出できる。また例えば、入力部１１に加速度センサや角速度センサを内蔵することで傾き角及び方位角を検出できる。
【００１４】
第１実施形態では、入力部１１は、指示位置、当該指示位置にかかる圧力、傾き角、及び方位角を順次入力するものとするが、入力部１１が入力する情報は、これらに限定されるものではない。
【００１５】
入力部１１が表示部３１に接してから離れるまで（ペンダウンからペンアップまで）に入力する情報（ストローク情報）は、例えば、｛（ｘ（１，１)，ｙ(１，１)，ｐ(１，１)，ｒ(１，１)，ｓ(１，１）），…，（ｘ（１，Ｎ（１）)，ｙ(１，Ｎ（１）)，ｐ(１，Ｎ（１）)，ｒ(１，Ｎ（１）)，ｓ(１，Ｎ（１）））｝となる。ｘは指示位置のｘ座標を示し、ｙは指示位置のｙ座標を示し、ｐは指示位置にかかる圧力（筆圧）を示し、ｒは傾き角を示し、ｓは方位角を示す。Ｎ（ｉ）は、画ｉ（第ｉストローク）サンプリング時の点数を示す。
【００１６】
取得部１３は、入力部１１により入力された指示位置及び当該指示位置にかかる圧力を順次取得する。また取得部１３は、傾き角及び方位角の少なくともいずれかを更に順次取得してもよい。
【００１７】
第１実施形態では、取得部１３は、指示位置、当該指示位置にかかる圧力、傾き角、及び方位角を順次取得するものとする。
【００１８】
解析部１５は、取得部１３により順次取得される指示位置及び圧力を順次解析する。具体的には、解析部１５は、取得部１３により順次取得される指示位置及び圧力を順次解析し、指示位置における圧力の値や変化を解析する。
【００１９】
また解析部１５は、取得部１３により順次取得される傾き角及び方位角の少なくともいずれかを更に順次解析する。具体的には、解析部１５は、取得部１３により順次取得される傾き角及び方位角の少なくともいずれかを更に順次解析し、入力部１１のジェスチャを解析する。ジェスチャは、例えば、入力部１１の移動及び静止である。
【００２０】
図３及び図４は、第１実施形態のジェスチャの解析手法の一例の説明図である。図３及び図４に示すように、入力部１１が図３に示す状態から図４に示す状態に変化したものとする。この場合、解析部１５は、図３に示す状態から図４に示す状態に変化した際の傾き角の変化θ´＝θ２−θ１及び方位角の変化φ´＝φ２―φ１を算出する。そして解析部１５は、θ´及びφ´が閾値γよりも大きければ移動ジェスチャと判定し、閾値γよりも小さければ静止ジェスチャと判定する。
【００２１】
また解析部１５は、取得部１３により取得されるストローク全体を解析してもよい。この例については、後述する。
【００２２】
領域設定部１７は、解析部１５の解析結果に基づいて、表示部３１に注目領域を設定する。例えば、領域設定部１７は、指示位置における圧力の値に基づいて、表示部３１に注目領域を設定する。
【００２３】
図５及び図６は、第１実施形態の注目領域設定手法の一例の説明図である。領域設定部１７は、図５及び図６に示すように、表示部３１に対する入力部１１の指示位置５１における圧力の値に基づいて、指示位置５１を中心とした円形の領域５２を注目領域に設定する。この際、領域設定部１７は、指示位置５１における圧力の値が大きいほど円形の領域５２を大きくする。例えば、図５に示す例の場合、指示位置５１における圧力の値が図６に示す例よりも小さいため（図５及び図６の圧力の値の大きさを示すグラフ５３参照）、円形の領域５２の大きさが図６に示す例よりも小さくなっている。
【００２４】
なお、指示位置５１のゆれの影響を防止するため、一定期間の指示位置５１の重心を当該一定期間での指示位置５１としてもよい。
【００２５】
また例えば、領域設定部１７は、入力部１１の移動及び静止に基づいて、表示部３１に注目領域を設定してもよい。例えば、領域設定部１７は、入力部１１が移動ジェスチャの間、指示位置を中心に円形の領域を拡大し、入力部１１が静止ジェスチャになった際に円形の領域を固定し、注目領域とする。
【００２６】
また例えば、領域設定部１７は、解析部１５の解析の結果、入力部１１により入力されたストロークが閉ループを構成する場合、当該閉ループの領域を注目領域としてもよい。ここで、解析部１５によるストロークが閉ループを構成するか否かの解析手法について説明する。
【００２７】
解析部１５は、入力されたストロークの端点同士が重なっていれば、容易にストロークが閉ループを構成すると解析できる。しかしながら、実際には、入力されたストロークの端点同士が重なっていないが、当該ストロークを入力したユーザは、閉ループを意図しているというケースも多々ある。
【００２８】
このため解析部１５は、入力されたストロークの端点同士の距離が基準長Ｎ未満であるか否かや、交点の有無を判断する。例えば、基準長Ｎは、入力されたストロークの長さや、当該ストロークの外接矩形の短辺の長さの０．０５倍などと設定することができる。
【００２９】
図７〜図９は、第１実施形態の閉ループの判定手法の一例の説明図である。図７に示す例の場合、解析部１５は、端点ａ１−端点ａ２のユークリッド距離｜ａ１−ａ２｜＜Ｎが成り立てば、閉ループを構成すると解析する。図８に示す例の場合、解析部１５は、端点ｂ１と端点ｂ２のユークリッド距離｜ｂ１−ｂ２｜＜Ｎが成り立たなくても、交点ｂ３が存在するため、閉ループを構成すると解析する。図９に示す例の場合、複数のストロークで閉ループを入力しているが、解析部１５は、この場合も、近接する端点同士が基準長Ｎ未満であること（具体的には、端点ｃ２と端点ｃ３のユークリッド距離｜ｃ２−ｃ３｜＜Ｎ）や、交点が存在すること（具体的には端点ｃ１とｃ４に近接する交点ｂ５が存在すること）などが、判断できれば、閉ループを構成すると解析する。
【００３０】
また例えば、領域設定部１７は、解析部１５の解析の結果、入力部１１により入力されたストロークの外接矩形を注目領域としてもよい。
【００３１】
状態設定部１９は、領域設定部１７による注目領域設定後の解析部１５の解析結果に基づいて、注目領域を変化状態に設定する。例えば、状態設定部１９は、注目領域設定後の指示位置における圧力の変化に基づいて、注目領域を変化状態に設定する。例えば、状態設定部１９は、注目領域設定後の指示位置における圧力の変化が一定期間無ければ、注目領域を変化状態に設定する。また例えば、状態設定部１９は、入力部１１の移動及び静止に基づいて、注目領域を変化状態に設定してもよい。例えば、状態設定部１９は、入力部１１が移動ジェスチャから静止ジェスチャになった際に、注目領域を変化状態に設定してもよいし、入力部１１が静止ジェスチャから移動ジェスチャになった際に、注目領域の変化状態を解除してもよい。
【００３２】
報知制御部２１は、状態設定部１９により注目領域が変化状態に設定されたことを報知部２３に報知させる。報知内容は、報知部２３による画面出力であっても、音声出力であっても、光出力であっても、振動出力であってもよい。
【００３３】
変化部２５は、領域設定部１７による注目領域設定後の解析結果に基づいて、表示部３１に表示されたコンテンツのうち注目領域に表示された内容を、注目領域を固定させた状態で変化させる。具体的には、変化部２５は、状態設定部１９による変化状態設定後の解析結果に基づいて、コンテンツのうち注目領域に表示された内容を、注目領域を固定させた状態で変化させる。例えば変化部２５は、変化状態設定後の指示位置における圧力の変化に基づいて、コンテンツのうち注目領域に表示された内容を、注目領域を固定させた状態で変化させる。
【００３４】
第１実施形態では、変化状態は、ズーム状態であり、変化部２５は、状態設定部１９による変化状態設定後の解析結果に基づいて、コンテンツのうち注目領域に表示された内容を、注目領域を固定させた状態でズーム（ズームイン又はズームアウト）させる。例えば変化部２５は、図１０に示すように、圧力のレベル（筆圧レベル）が一定期間安定した後に（期間６１参照）、即ち、圧力のレベルが一定期間変化しない状態の後に、圧力のレベルを強くすると注目領域を固定させた状態でズームインさせ、圧力のレベルを弱くすると注目領域を固定させた状態でズームアウトさせる。なお変化部２５は、注目領域を固定させた状態でズームアウトさせた場合、注目領域外の外部領域に表示されたコンテンツの内容もズームアウトさせてもよい。
【００３５】
記憶部２７は、コンテンツを記憶する。
【００３６】
表示制御部２９は、記憶部２７からコンテンツを取得し、表示部３１に表示する。また表示制御部２９は、変化部２５により注目領域に表示された内容が変化した場合、変化後の内容を注目領域に表示する。
【００３７】
図１１〜図１３は、第１実施形態の注目領域の変化内容の一例の説明図である。図１１に示す例では、表示部３１上の注目領域５２に表示された内容のデフォルトの状態を示しており、図１２に示す例では、表示部３１上の注目領域５２に表示された内容をズームインした状態を示しており、図１３に示す例では、表示部３１上の注目領域５２に表示された内容をズームアウトした状態を示している。変化部２５は、図１１及び図１２に示す例では、注目領域５２外に表示された内容をそのまま表示しているが、図１３に示す例のように、注目領域５２に表示された内容をズームアウトした場合には、注目領域５２外に表示された内容もズームアウトしてもよい。
【００３８】
図１４は、第１実施形態の表示装置１０で行われる領域設定処理の手順の流れの一例を示すフローチャートである。
【００３９】
まず、取得部１３は、入力部１１により入力されたストローク（指示位置、当該指示位置にかかる圧力、傾き角、及び方位角）を取得する（ステップＳ１０１）。
【００４０】
続いて、解析部１５は、取得部１３により取得されたストロークを解析する（ステップＳ１０３）。
【００４１】
続いて、領域設定部１７は、解析部１５の解析結果に基づいて、表示部３１に注目領域を設定する（ステップＳ１０５）。
【００４２】
図１５は、第１実施形態の表示装置１０で行われるズーム状態設定処理の手順の流れの一例を示すフローチャートである。
【００４３】
まず、取得部１３は、入力部１１により入力されたストローク（指示位置、当該指示位置にかかる圧力、傾き角、及び方位角）を取得する（ステップＳ２０１）。
【００４４】
続いて、解析部１５は、取得部１３により取得されたストロークを解析する（ステップＳ２０３）。
【００４５】
続いて、状態設定部１９は、解析部１５の解析結果に基づいて、注目領域をズーム状態に設定する（ステップＳ２０５）。
【００４６】
続いて、報知制御部２１は、状態設定部１９により注目領域がズーム状態に設定されたことを報知部２３に報知させる（ステップＳ２０７）。
【００４７】
図１６は、第１実施形態の表示装置１０で行われる変化処理の手順の流れの一例を示すフローチャートである。
【００４８】
まず、取得部１３は、入力部１１により入力されたストローク（指示位置、当該指示位置にかかる圧力、傾き角、及び方位角）を取得する（ステップＳ３０１）。
【００４９】
続いて、解析部１５は、取得部１３により取得されたストロークを解析する（ステップＳ３０３）。
【００５０】
続いて、変化部２５は、解析結果に基づいて、表示部３１に表示されたコンテンツのうち注目領域に表示された内容を、注目領域を固定させた状態でズームさせる（ステップＳ３０５）。
【００５１】
続いて、表示制御部２９は、変化部２５により注目領域に表示された内容がズームした場合、ズーム後の内容を注目領域に表示する（ステップＳ３０７）。
【００５２】
以上のように第１実施形態によれば、コンテンツのうち注目領域に表示された内容を、注目領域を固定させた状態で変化させるため、注目領域外部の視認性を低下させずに注目領域に表示されたコンテンツの内容を変化させることができる。特に、注目領域に表示された内容にズームインする場合であっても注目領域は固定されたままなので、注目領域外部の領域が隠れたりせず、注目領域外部の内容を俯瞰しながら注目領域をズームする際に好適である。
【００５３】
また第１実施形態によれば、注目領域に表示された内容にズームアウトする場合、注目領域外の内容もズームアウトされるため、注目領域外部の内容を俯瞰しながら注目領域をズームする際に好適である。
【００５４】
また第１実施形態によれば、注目領域に表示された内容の変化は、圧力の変化に基づいて（特に、圧力を安定させた後の変化で）行うため、ズームアウト時の入力部の操作も容易になる。
【００５５】
（第２実施形態）
第２実施形態では、注目領域にストロークを入力する例について説明する。以下では、第１実施形態との相違点の説明を主に行い、第１実施形態と同様の機能を有する構成要素については、第１実施形態と同様の名称・符号を付し、その説明を省略する。
【００５６】
図１７は、第２実施形態の表示装置１１０の構成の一例を示すブロック図である。図１７に示すように、第２実施形態の表示装置１１０では、解析部１１５及び表示制御部１２９が第１実施形態と相違する。
【００５７】
取得部１３は、注目領域に対して入力部１１から入力されたストロークを取得する。
【００５８】
解析部１１５は、取得部１３により取得されたストロークが注目領域に対して入力されたストロークであるか否かを解析する。
【００５９】
具体的には、解析部１１５は、入力されたストロークの軌跡、端点位置、及び外接矩形などに基づき、操作のためのストロークなのか、書き込みのためのストロークかを判断する。例えば、解析部１１５は、端点から端点までの軌跡が一定範囲の中に納まっている場合に、操作のためのストロークと判断できる。また例えば、解析部１１５は、端点から端点までの筆跡が閉ループを構成する場合には注目領域を設定する操作のためのストロークと判断できる。このため解析部１１５は、これら以外のストローク、即ち、操作のためのストローク以外のストロークが入力された場合に、書き込みのためのストロークと判断することができる。
【００６０】
表示制御部１２９は、取得部１３により取得されたストロークを注目領域に更に表示する。具体的には、表示制御部１２９は、解析部１１５により注目領域に対して入力されたストロークと解析された場合、当該ストロークを注目領域に更に表示する。
【００６１】
なお変化部２５は、図１８に示すように、注目領域５２に書き込みのための文字ストローク１６１が入力されている場合、図１９に示すように、注目領域５２を固定させた状態でズームアウトさせても、文字ストローク１６１はズームアウトさせずにそのままとしておくことが好ましい。このように、書き込みのためのストロークをコンテンツと別々に制御して表示することができる。
【００６２】
以上のように第２実施形態によれば、同一の入力部を用いたまま、注目領域に表示されたコンテンツの内容の変化及び注目領域への書き込みを実現できる。
【００６３】
（変形例）
上記各実施形態では、変化状態として、空間軸の変化、即ち、ズームを例に取り説明したが、時間軸（過去、現在、未来（予想））を変化させる状態としてもよい。この場合、変化部２５は、状態設定部１９による変化状態設定後の解析結果に基づいて、コンテンツのうち注目領域に表示された内容を、注目領域を固定させた状態で、時間軸で変化させればよい。
【００６４】
図２０及び図２１は、変形例の注目領域の変化内容の一例の説明図である。図２０に示す例では、表示部３１上の注目領域５２に表示された内容を、図１１に示す状態から過去に時間軸をずらした状態を示しており、図２１に示す例では、表示部３１上の注目領域５２に表示された内容を、図１１に示す状態から未来に時間軸をずらした状態を示している。なお、過去に時間軸をずらした状態への変化は、上記各実施形態のズームアウトと同様の操作、未来に時間軸をずらした状態への変化は、上記各実施形態のズームインと同様の操作とすればよい。
【００６５】
（ハードウェア構成）
図２２は、上記各実施形態及び変形例の表示装置のハードウェア構成の一例を示すブロック図である。図２２に示すように、上記各実施形態及び変形例の計測装置は、ＣＰＵなどの制御装置９０１と、ＲＯＭやＲＡＭなどの記憶装置９０２と、ＨＤＤやＳＳＤなどの外部記憶装置９０３と、ディスプレイなどの表示装置９０４と、マウスやキーボードなどの入力装置９０５と、通信Ｉ／Ｆ９０６とを、備えており、通常のコンピュータを利用したハードウェア構成で実現できる。
【００６６】
上記各実施形態及び変形例の表示装置で実行されるプログラムは、ＲＯＭ等に予め組み込んで提供される。
【００６７】
また、上記各実施形態及び変形例の計測装置で実行されるプログラムを、インストール可能な形式又は実行可能な形式のファイルでＣＤ−ＲＯＭ、ＣＤ−Ｒ、メモリカード、ＤＶＤ、フレキシブルディスク（ＦＤ）等のコンピュータで読み取り可能な記憶媒体に記憶されて提供するようにしてもよい。
【００６８】
また、上記各実施形態及び変形例の計測装置で実行されるプログラムを、インターネット等のネットワークに接続されたコンピュータ上に格納し、ネットワーク経由でダウンロードさせることにより提供するようにしてもよい。また、上記各実施形態及び変形例の計測装置で実行されるプログラムを、インターネット等のネットワーク経由で提供または配布するようにしてもよい。
【００６９】
上記各実施形態及び変形例の表示装置で実行されるプログラムは、上述した各部をコンピュータ上で実現させるためのモジュール構成となっている。実際のハードウェアとしては、例えば、制御装置９０１が外部記憶装置９０３からプログラムを記憶装置９０２上に読み出して実行することにより、上記各部がコンピュータ上で実現されるようになっている。
【００７０】
また上記各実施形態及び変形例の表示装置の機能を、図２３に示すように、表示装置１０１０と、表示装置１０１０とネットワーク２を介して接続されたサーバ１０３０とで分散して実行するようにしてもよい。
【００７１】
以上説明したとおり、上記各実施形態及び変形例によれば、注目領域外部の視認性を低下させずに注目領域に表示されたコンテンツの内容を変化させることができる。
【００７２】
なお本発明は、上記各実施形態そのままに限定されるものではなく、実施段階ではその要旨を逸脱しない範囲で構成要素を変形して具体化することができる。また上記各実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【００７３】
例えば、上記実施形態のフローチャートにおける各ステップを、その性質に反しない限り、実行順序を変更し、複数同時に実施し、あるいは実施毎に異なった順序で実施してもよい。
【符号の説明】
【００７４】
１０、１１０、１０１０  表示装置
１１  入力部
１３  取得部
１５、１１５  解析部
１７  領域設定部
１９  状態設定部
２１  報知制御部
２３  報知部
２５  変化部
２７  記憶部
２９、１２９  表示制御部
３１  表示部
９０１  制御装置
９０２  記憶装置
９０３  外部記憶装置
９０４  表示装置
９０５  入力装置
９０６  通信Ｉ／Ｆ
１０３０  サーバ
【図１】
2015156135.tif 000003
【図２】
2015156135.tif 000004
【図３】
2015156135.tif 000005
【図４】
2015156135.tif 000006
【図５】
2015156135.tif 000007
【図６】
2015156135.tif 000008
【図７】
2015156135.tif 000009
【図８】
2015156135.tif 000010
【図９】
2015156135.tif 000011
【図１０】
2015156135.tif 000012
【図１１】
2015156135.tif 000013
【図１２】
2015156135.tif 000014
【図１３】
2015156135.tif 000015
【図１４】
2015156135.tif 000016
【図１５】
2015156135.tif 000017
【図１６】
2015156135.tif 000018
【図１７】
2015156135.tif 000019
【図１８】
2015156135.tif 000020
【図１９】
2015156135.tif 000021
【図２０】
2015156135.tif 000022
【図２１】
2015156135.tif 000023
【図２２】
2015156135.tif 000024
【図２３】
2015156135.tif 000025